(57)【要約】【課題】撮像装置の本体の電源がオフの状態でも、撮像装置の所定箇所を照らすことが可能にする。【解決手段】デジタルカメラ（撮像装置）１０は、カメラ本体１１内またはその表面に配置された複数の照明２４と、照明２４を発光させるための照明ボタン２３とを備える。複数の照明２４のうち少なくとも一部の発光部は、カメラ本体１１の電源レバー（主電源）２１の状態によらず、照明ボタン２３の操作に応じて発光する。複数の照明２４のうち少なくとも一部の発光部以外の発光部は、電源レバー２１のオン／オフ状態と照明ボタン２３の操作に応じて発光する。少なくとも一部の発光部が、カメラ本体１１に交換レンズ１３やメモリカード２７等の外部装置を接続する接続部近傍において発光する発光部である。【選択図】図１
2017129824.tif 000002
【特許請求の範囲】
【請求項１】
撮像装置内または撮像装置表面に配置された複数の発光部と、
前記発光部を発光させるための単一の発光操作部とを備え、
前記複数の発光部のうち少なくとも一部の発光部が、前記撮像装置の主電源の状態によらず、前記発光操作部の操作に応じて発光する
ことを特徴とする撮像装置。
【請求項２】
前記複数の発光部のうち前記少なくとも一部の発光部以外の発光部が、前記主電源のオン／オフ状態と前記発光操作部の操作に応じて発光することを特徴とする請求項１に記載の撮像装置。
【請求項３】
前記少なくとも一部の発光部が、前記撮像装置に外部装置を接続する接続部近傍において発光する発光部を含むことを特徴とする請求項１〜２の何れか一項に記載の撮像装置。
【請求項４】
前記接続部が、前記撮像装置によって撮像された撮像情報を記憶する記憶媒体接続部であることを特徴とする請求項３に記載の撮像装置。
【請求項５】
前記接続部が、前記撮像装置の本体に交換レンズを着脱するための交換レンズ着脱部であることを特徴とする請求項３〜４の何れか一項に記載の撮像装置。
【請求項６】
前記接続部が、前記撮像装置と情報を交換する情報線接続端子であることを特徴とする請求項３〜５の何れか一項に記載の撮像装置。
【請求項７】
主電源のオン／オフを操作するための主電源操作部と、
外部機器を接続するための接続部と、
前記接続部近傍において発光する発光部と、
前記主電源の回路を介した電力による前記発光部の点灯／消灯を操作する発光操作部と、
前記主電源がオフの状態において、前記発光操作部が操作されたことを検知して前記発光部の点灯／消灯を切り替える制御手段と
を備えることを特徴とする撮像装置。
【請求項８】
主電源のオン／オフを操作するための主電源操作部と、
撮像装置表面に設けられた発光部と、
前記主電源の回路を介した電力による前記発光部の点灯／消灯を切り替える発光操作部と、
前記主電源がオフの状態で、前記発光操作部が操作されたことを検知し、前記発光部の点灯／消灯を切り替える制御手段とを備える
ことを特徴とする撮像装置。
【請求項９】
前記主電源がオフ状態の時、前記撮像装置の撮像機能が停止され、前記主電源がオン状態の時、前記撮像装置の撮像機能が起動されることを特徴とする請求項１〜８の何れか一項に記載の撮像装置。
【請求項１０】
前記主電源がオフ状態の時、前記撮像装置の撮像機能を制御する制御素子への電源供給が停止され、前記主電源がオン状態の時、前記撮像装置の撮像機能を制御する制御素子へ電力が供給されることを特徴とする請求項１〜９の何れか一項に記載の撮像装置。
【発明の詳細な説明】
【技術分野】
【０００１】
本発明は、照明用の発光部を備える撮像装置に関する。
【背景技術】
【０００２】
カメラでは、暗闇において記録媒体や撮像レンズの着脱を行う場合があり、このような場合、懐中電灯などの照明器具で手元を照らすか、手探りで作業を行う必要がある。このような問題に対して、レンズ交換式カメラにおいて、レンズマウント近傍に照明ランプを設け、カメラボディ上面のマウント照明スイッチを操作することにより撮影レンズ装着時にレンズマウント近傍を照明できる構成としたものが知られている（特許文献１参照）。また、カメラの操作部材を照明するために照明用の電源、点灯スイッチを各々備えた取り外し可能な照明ユニットを各所に取り付け可能とした構成も提案されている（特許文献２参照）。
【先行技術文献】
【特許文献】
【０００３】
【特許文献１】特開平８−０２２０５７号公報
【特許文献２】特開２００５−２２７４９５号公報
【発明の概要】
【発明が解決しようとする課題】
【０００４】
しかし、特許文献１の構成では、カメラ本体の主電源がオフ状態のとき、照明ランプを点灯することができない。そのため、レンズマウント近傍を照らすには、撮影レンズ着脱時にカメラ本体の主電源をオンする必要がある。一方、特許文献２の構成では、各照明ユニットに電源が確保されているものの、複数の照明ユニットをカメラとともに携行しなければないため極めて不便である。また照明ユニット毎に電源、点灯スイッチを設け、更にカメラボディにも同ユニットを装着するためのマウントを設ける必要がある。
【０００５】
本発明は、周囲の環境によらず撮像装置を使いやすくすることを課題としている。
【課題を解決するための手段】
【０００６】
本発明の撮像装置は、撮像装置内または表面に配置された複数の発光部と、発光部を発光させるための単一の発光操作部とを備え、複数の発光部のうち少なくとも一部の発光部が、撮像装置の主電源の状態によらず、発光操作部の操作に応じて発光することを特徴としている。
【０００７】
複数の発光部のうち少なくとも一部の発光部以外の発光部が、主電源のオン／オフ状態と発光操作部の操作に応じて発光する。少なくとも一部の発光部が、撮像装置に外部装置を接続する接続部近傍において発光する発光部を含む。接続部は、例えば撮像装置によって撮像された撮像情報を記憶する記憶媒体接続部である。また接続部は、例えば撮像装置の本体に交換レンズを着脱するための交換レンズ着脱部である。また更に、接続部は、例えば撮像装置と情報を交換する情報線接続端子である。
【０００８】
本発明の別の撮像装置は、主電源のオン／オフを操作するための主電源操作部と、外部機器を接続するための接続部と、接続部近傍において発光する発光部と、主電源の回路を介した電力による発光部の点灯／消灯を操作する発光操作部と、主電源がオフの状態において、発光操作部が操作されたことを検知して発光部の点灯／消灯を切り替える制御手段とを備えることを特徴としている。
【０００９】
また本発明の別の撮像装置は、主電源のオン／オフを操作するための主電源操作部と、撮像装置の表面に設けられた発光部と、主電源の回路を介した電力による発光部の点灯／消灯を切り替える発光操作部と、主電源がオフの状態で、発光操作部が操作されたことを検知し、発光部の点灯／消灯を切り替える制御手段とを備えることを特徴としている。
【００１０】
上記撮像装置において、主電源がオフ状態の時、撮像装置の撮像機能が停止され、主電源がオン状態の時、撮像装置の撮像機能が起動される。主電源がオフ状態の時、撮像装置の撮像機能を制御する制御素子への電源供給が停止され、主電源がオン状態の時、撮像装置の撮像機能を制御する制御素子へ電力が供給される。
【発明の効果】
【００１１】
本発明によれば、周囲の環境によらず撮像装置を使いやすくすることができる。
【図面の簡単な説明】
【００１２】
【図１】本発明の撮像装置の一実施形態であるデジタルカメラの電気的な構成を示すブロック図である。
【図２】本実施形態のカメラ本体の背面図である。
【図３】カードスロットのカード蓋を開いた状態における図２のカメラ本体の背面図である。
【図４】本実施形態のカメラ本体の正面図である。
【図５】本実施形態のカメラ本体の頂面図である。
【図６】電源レバーがオフ位置に合わせられたときに実行される本実施形態の操作部材監視処理のフローチャートである。
【発明を実施するための形態】
【００１３】
以下、本発明の実施の形態を、図面を参照して説明する。図１は、本発明の撮像装置の一実施形態であるデジタルカメラの電気系の構成を示すブロック図である。
【００１４】
本実施形態の撮像装置は、例えばレンズ交換式のデジタルカメラ１０である。カメラ本体１１には、電池等に接続される主電源回路２０が設けられ、カメラの主電源がオンされると、主電源回路２０からデジタルカメラ１０の各部に電力が供給される。
【００１５】
カメラ本体１１には、デジタルカメラ１０全体の制御を行うＣＰＵ１２が設けられる。また、カメラ本体１１には、交換レンズ１３を接続するためのレンズ接点１４の他、様々な外部接続機器と接続するための端子が設けられる。外部接続機器を接続するための端子としては、例えば映像出力端子１５、ＰＣ接続端子（情報線接続端子）１６、ＤＣ入力端子１７、マイク端子１８、ホットシュー１９などが挙げられる。すなわち、映像出力端子１５は外部モニタ（不図示）への映像出力を可能とし、ＰＣ接続端子１６はパソコン（不図示）と接続してデータのやり取りを可能にする。またＤＣ入力端子１７は外部電源によるカメラの駆動を可能にし、マイク端子１８は外部マイク（不図示）からの音声の入力を可能にする。そしてホットシュー１９には、外部閃光装置（不図示）が装着され、シャッタとの連動が可能にされる。
【００１６】
本実施形態のカメラ本体１１の表面には、デジタルカメラ１０の主電源としての電源レバー（主電源）２１や、シャッタ操作を行うためのシャッタボタン２２の他、後述する各種照明（発光部）２４を点灯させるための照明ボタン（発光操作部材）２３が設けられる。カメラ本体１１には、液晶画面２５が設けられる。また、カメラ本体１１には、メモリカード２７などの不揮発性記録媒体が着脱可能であり、メモリカード２７は、カメラ本体１１に設けられたカードスロット（記録媒体接続部）２６に装着される。
【００１７】
次に図２〜図４を参照して、カメラ本体１１に設けられる電源レバー２１、シャッタボタン２２、複数の照明２４などの構成部の配置について説明する。なお、図２は、カメラ本体１１の背面図であり、図３は、カードスロット２６のカード蓋２８を開いた状態での背面図である。また、図４はカメラ本体１１の正面図、図５は頂面図である。
【００１８】
図２、図３に示されるように、カメラ本体１１の略中央左寄りには、液晶画面２５が配置され、液晶画面２５の右側には、再生ボタン１００、４方向キー１０１、確定ボタン１０２、情報ボタン１０３、メニュボタン１０４などの各種操作ボタンが配置される。また液晶画面２５の上方には、光学ファインダ１０５が配置される。また、図２、図３において、カメラ本体１１の右側面には、カードスロット２６の開口部が設けられ、カードスロット２６の開口部は、開閉自在のカード蓋２８によって覆われる。また、カメラ本体１１内には、カードスロット２６近傍に、照明２４の１つであるカードスロット用照明（発光部）２４０が配置される。
【００１９】
図４に示されるように、カメラ本体１１の前面略中央には、交換レンズ１３を装着するためのレンズマウント１４０が配置され、レンズマウント１４０には、レンズ接点１４が配置される。図４において、レンズマウント１４０の左下には、レンズ取り外しボタン１０６が配置され、レンズマウント１４０の上方には、照明２４の１つであるレンズマウント用照明（発光部）２４１が配置される。
【００２０】
また、図４、図５において、カメラ本体１１の左側には、右手用グリップ１０９が設けられ、その頂面には電源レバー２１とシャッタボタン２２が配置される。電源レバー２１は、シャッタボタン２２の周囲に配置される。レバーの摘みをシャッタボタン２２の周りに左右に回転させ、オン位置／オフ位置の間で切り替えることで主電源回路２０（図１参照）からの各構成部への電力供給のオン／オフ（主電源のオン／オフ）が切り替えられる。また電源レバー２１、シャッタボタン２２の後方には、照明ボタン２３、副液晶画面１０８が配置され、照明ボタン２３を操作することで、カードスロット用照明２４０、レンズマウント用照明２４１、あるいは副液晶画面１０８のバックライト（不図示）などの照明２４の何れか１つ、あるいは複数の発光部が点灯される。なお、副液晶画面１０８は、カメラ本体の設定等、ステータスを表示する為の液晶画面である。また、後述するように照明２４の点灯は、電源レバー２１による主電源のオン／オフに関わらず、照明ボタン２３が操作されると、メニュ等で予め設定された照明２４の中の所定の発光部を点灯することができる。
【００２１】
また、図５においてカメラ本体１１の光軸近くには、ホットシュー１９が設けられ、頂面右端にはモードダイヤル１０７等が設けられる。
【００２２】
液晶画面２５は、ライブビュー画像や、撮影画像、設定メニュ、各種の撮影情報等を表示する。デジタルカメラ１０は、メモリカード２７などの記録メディアをカードスロット２６に挿入して、撮影された静止画や動画を記録する。メモリカード２７のカードスロット２６挿抜はカード蓋２８を開閉して行い、通常はカード蓋２８を閉じた状態でデジタルカメラ１０は使用される。交換レンズ１３の取り外す際には、レンズ取り外しボタン１０６を操作し、ロックを解除して行う。
【００２３】
照明ボタン２３は、電源レバー２１がオンされているときには、例えば副液晶画面１０８のバックライトの点灯／消灯を制御する。一方、電源レバー２１がオフされているときに照明ボタン２３が操作されると、予め設定されたカードスロット用照明２４０、および／または、レンズマウント用照明２４１の点灯／消灯が制御される。また、このとき各カードスロット用照明２４０やレンズマウント用照明２４１には、主電源回路２０を介して、カメラ本体１１に搭載された電池、あるいはＤＣ入力端子１７を介した外部電源からの電力が直接供給される。
【００２４】
従来のカメラでは、電源レバー２１がオン位置に合わせられると、主電源回路２０から各構成部に電力が供給され、各種処理が実行される。一方、電源レバー２１がオフ位置に合わせられると、主電源回路２０から各構成部への電力供給が略全て停止され、操作部材が操作されたか否かの監視をすることもない。したがって、電源レバー２１により主電源がオフされているときには、電源レバー２１をオンにする以外のユーザによる全ての操作は無効となる。
【００２５】
しかし、本実施形態では、電源レバー２１がオフ位置に合わせられ、主電源がオフ状態においても、例えばＣＰＵ１２には主電源回路２０から省電力モードで電力が供給され、各ボタン操作、少なくとも電源レバー２１と照明ボタン２３の操作を監視する処理が実行される。そして電源レバー２１がオフの状態でも照明ボタン２３が操作されたと判断されれば、主電源回路２０を介して、カメラ本体１１に搭載された電池、あるいはＤＣ入力端子１７を介した外部電源からの電力が予め設定されている照明２４へ供給され、あるいは既に点灯している場合には、電力供給が停止され消灯される。
【００２６】
図６は、電源レバー２１がオフ位置に合わせられたときに実行される本実施形態の操作部材監視処理のフローチャートである。図６を参照して、電源レバー２１オフ時に、ＣＰＵ１２あるいはスリープ時専用のＣＰＵで実行される操作部材監視処理について説明する。
【００２７】
ステップＳ１００では、電源レバー２１のオン／オフ状態が検出され、オンされた場合にはステップＳ１０８において、主電源をオン状態にして、デジタルカメラ１０を撮像装置として起動（撮像素子に電力を供給し、撮像機能を起動する）して本処理終了する。一方、電源レバー２１がオフ状態の場合（撮像素子への電力供給を停止し、撮像機能が停止されている状態の場合）には、ステップＳ１０２において何れかのボタン（スイッチ）が操作されたか否かが判断される。何れのボタンも操作されていないと判断されると、ステップＳ１００に戻り同様の処理が繰り返される。一方、ステップＳ１０２において、何れかのボタン操作がなされたと判定されると、ステップＳ１０４において、操作されたボタンが照明ボタン２３であるか否かが判定される。
【００２８】
操作されたボタンが照明ボタン２３でない場合には、ステップＳ１００に処理は戻り、同様の処理が繰り返される。操作されたボタンが照明ボタン２３の場合には、予め電源オフ時に照明ボタン２３の操作で点灯／消灯を切り替えるランプとして設定された照明２４の状態を切り替える。すなわち、同照明２４が点灯状態であれば消灯し、消灯状態であれば点灯する。ステップＳ１０６における照明の点灯／消灯状態の切り替えが行われると、ステップＳ１００に戻り、電源レバー２１がオン状態とされるまで同様の処理が繰り返される。
【００２９】
以上のように、本実施形態によれば、デジタルカメラの主電源がオフの状態でも、別途照明用の電源等を設けることなく、デジタルカメラに設けられた照明のオン・オフを切り替えることができ、主電源の状態によらず、照明ボタン（発光操作部）の操作に応じて所望の照明の点灯／消灯を制御できる。これにより、暗闇においても外部機器の接続部を照明で照らし、当該外部機器の接続作業または取り外し作業を容易に行うことができる。
【００３０】
なお、電源がオフのときに、照明ボタンの操作でその点灯／消灯が制御できる照明として、カメラ正面に配置されるオートフォーカス用照明を含めてもよい。その場合、同照明をカメラ以外のものを照らすライトとして使用することもできる。また、ＰＣ接続端子や他の接続部を照らす照明を更に設け、その点灯／消灯を本実施形態の照明ボタンの操作で行ってもよい。
【００３１】
また、本実施形態では、操作部材監視処理がデジタルカメラ全体を制御するＣＰＵを用いて実行されたが、同ＣＰＵとは別に、例えばスリープ時専用のＣＰＵを設け、これを用いて操作部材監視処理を実行してもよい。また、本実施形態では、主電源の操作部材としてレバー式の操作部材を例に説明を行なったが、主電源のオン／オフに用いられる操作部材は、ボタン式でも、スライドスイッチなどでもよい。また、照明ボタンの操作でその点灯のみを制御し、消灯は時限式で自動消灯させてもよい。
【符号の説明】
【００３２】
１０  デジタルカメラ
２１  電源レバー
２３  照明ボタン（発光操作部材）
２４  照明
２４０  カードスロット用照明（発光部）
２４１  レンズマウント用照明（発光部）
【図１】
2017129824.tif 000003
【図２】
2017129824.tif 000004
【図３】
2017129824.tif 000005
【図４】
2017129824.tif 000006
【図５】
2017129824.tif 000007
【図６】
2017129824.tif 000008